(57)【要約】【課題】ＦＡＸデータの機密性を適切に保持すること。【解決手段】ＦＡＸデータの転送要求コマンドを無線端末装置に送信する（Ｓ１１）。ＦＡＸ装置は、無線端末装置からＡＣＫ信号が返信されたか否かを判断する。ＡＣＫ信号が返信された場合（Ｓ１２；Ｙ）、無線端末装置のＩＤ番号とＰＲＯＭに書き込まれているＩＤ番号を比較し、一致した場合（Ｓ１３；Ｙ）、ＦＡＸデータの通信管理データを作成する（Ｓ１４）。ＦＡＸデータと通信管理データを暗号キーを用いて暗号化し（Ｓ１５）、これらのデータを無線端末装置に送信する（Ｓ１６）。ＦＡＸ装置は、無線端末装置からデータ転送完了のＡＣＫ信号が返信されたか否かを判断し、ＡＣＫ信号が返信された場合（Ｓ１７；Ｙ）、通信管理データをＲＡＭに格納する（Ｓ１８）。ＦＡＸ装置は、ｗｏｒｋ＿ＲＡＭに格納されているＦＡＸデータを破棄し（Ｓ１９）、処理を終了する。【選択図】  図５
2005012440.tif 000002
【特許請求の範囲】
【請求項１】
公衆回線網またはネットワーク回線網を介してファクシミリデータの送受信が可能な本体装置と、
前記本体装置との間で無線通信によるデータの送受信が可能であり、記憶装置を有する無線端末装置と、
前記本体装置および前記無線端末装置に格納された、当該ファクシミリ装置固有の識別子と一対一で対応した暗号キーと、
前記本体装置で受信した前記ファクシミリデータ、または前記本体装置から送信する前記ファクシミリデータを前記暗号キーを用いて暗号化する暗号化手段と、
前記暗号化手段により暗号化された暗号化ファクシミリデータを、前記無線端末装置に転送して前記記憶装置に格納する格納手段と、
を備えたことを特徴とするファクシミリ装置。
【請求項２】
前記格納手段により格納された前記暗号化ファクシミリデータを読み出し、前記本体装置に転送するデータ読出手段と、
前記データ読出手段により転送された前記暗号化ファクシミリデータを前記暗号キーを用いて前記ファクシミリデータに復号化する復号化手段と、
前記復号化された前記ファクシミリデータを出力する出力手段と、
を備えたことを特徴とする請求項１記載のファクシミリ装置。
【請求項３】
前記無線端末装置と前記記憶装置との接続状態を検出する検出手段と、
前記検出手段により前記無線端末装置と前記記憶装置との非接続状態が検出された場合、前記本体装置における前記ファクシミリデータの受信を拒否する受信拒否手段と、
を備えたことを特徴とする請求項１または請求項２記載のファクシミリ装置。
【請求項４】
前記受信拒否手段により前記本体装置における前記ファクシミリデータの受信が拒否されている期間に、前記本体装置と前記無線端末装置との間の無線通信を制御する箇所以外への電源供給を遮断する電源供給遮断手段を備えたことを特徴とする請求項３記載のファクシミリ装置。
【請求項５】
前記本体装置で受信した前記ファクシミリデータ、または前記本体装置から送信する前記ファクシミリデータの通信管理情報を記載した管理データを作成する作成手段を備え、
前記暗号化手段は、前記作成手段により作成された前記管理データと前記ファクシミリデータとを前記暗号キーを用いて暗号化し、
前記格納手段は、前記暗号化ファクシミリデータに暗号化管理データを付して前記無線端末装置に転送して前記記憶装置に格納し、
前記データ読出手段は、前記暗号化管理データに基づいて前記暗号化ファクシミリデータの読み出しを行うことを特徴とする請求項２記載のファクシミリ装置。
【請求項６】
前記本体装置から前記公衆回線網または前記ネットワーク回線網を介して行われたファクシミリ通信の履歴データを、前記管理データに反映させる管理データ書き換え手段を備えたことを特徴とする請求項５記載のファクシミリ装置。
【発明の詳細な説明】
【０００１】
【発明の属する技術分野】
本発明は、原稿を走査して得た画素データを通信回線を介して送信し、受信側では、受信した画素データを元通りに配列して原稿を復元するファクシミリ装置に係り、特に、ファクシミリ装置で扱うファクシミリデータの管理を強化したファクシミリ装置に関する。
【０００２】
【従来の技術】
近年、データ通信技術の発展に伴って、アナログ回線だけでなく、ＩＳＤＮ（総合サービス・デジタル通信網）回線網などのデジタル回線を利用してデータの送受信を行うファクシミリ装置が広く普及してきている。
例えば、このようなファクシミリ装置には、利便性を向上させるために下記の特許文献に開示されているような、ＰＨＰ（パーソナル・ハンディホン）やコードレス端末装置などの無線端末装置を利用したファクシミリ装置がある。
【特許文献１】
特開平６−２４４９９８号公報
【特許文献２】
特開２００２−１９９０８４公報
【０００３】
特許文献１には、送信部と受信部を分離することが可能なファクシミリ装置が提案されている。詳しくは、送信側の装置に、スキャナ機能、画像処理機能、データの圧縮伸長機能、データの蓄積機能、ＰＨＰのＩ／Ｆ（インタ・フェース）を備え、一方の受信側の装置にファクシミリ通信モデム、電話回線Ｉ／Ｆ、プリント出力機構を備えている。
このように構成することにより、送信側の装置を無線端末装置として扱うことができるため、この送信側の装置を受信部側の装置から離れた場所（屋外など）へ持ち出してもファクシミリ送信を行うことができる。
【０００４】
特許文献２には、本体装置とコードレス端末装置を備えたファクシミリ装置が提案されている。このコードレス端末装置は、それぞれ固有の識別番号を有しており、これらのコードレス端末装置に対応した（宛先指定した）ファクシミリデータを受信した場合には、該当するコードレス端末装置へ本体装置からファクシミリデータを受信した旨の通知を行うことができるようになっている。
【０００５】
【発明が解決しようとする課題】
しかしながら、上記特許文献１で提案されているファクシミリ装置では、受信側の装置にデータの蓄積機能が備えられていないため、親展受信などが指定されているファクシミリデータを受信した場合であっても、受信したファクシミリデータをメモリ等の記憶装置に保存しておくことができない。
そのため、送信側の装置が持ち出されてしまった場合には、受信データの機密性を保持することができなくなってしまう。
この他、受信側の装置は、常時電源が供給された状態であるため、無駄な電力を消費してしまうおそれがある。
【０００６】
また、上記特許文献２で提案されているファクシミリ装置では、ファクシミリ受信に関する情報を単に通知しているだけであり、受信データの機密性に関しては考慮されていないため、受信したファクシミリデータの内容が第三者に漏洩してしまうおそれがあった。
そこで本発明は、ファクシミリ装置で処理されるファクシミリデータの機密性を保持することが可能なファクシミリ装置を提供することを第１の目的とする。
また、消費電力量を低減させることが可能なファクシミリ装置を提供することを第２の目的をする。
【０００７】
【課題を解決するための手段】
請求項１記載の発明は、公衆回線網またはネットワーク回線網を介してファクシミリデータの送受信が可能な本体装置と、前記本体装置との間で無線通信によるデータの送受信が可能であり、記憶装置を有する無線端末装置と、前記本体装置および前記無線端末装置に格納された、当該ファクシミリ装置固有の識別子と一対一で対応した暗号キーと、前記本体装置で受信した前記ファクシミリデータ、または前記本体装置から送信する前記ファクシミリデータを前記暗号キーを用いて暗号化する暗号化手段と、前記暗号化手段により暗号化された暗号化ファクシミリデータを、前記無線端末装置に転送して前記記憶装置に格納する格納手段と、を備えることにより前記第１の目的を達成する。
【０００８】
請求項２記載の発明は、請求項１記載の発明において、前記格納手段により格納された前記暗号化ファクシミリデータを読み出し、前記本体装置に転送するデータ読出手段と、前記データ読出手段により転送された前記暗号化ファクシミリデータを前記暗号キーを用いて前記ファクシミリデータに復号化する復号化手段と、前記復号化された前記ファクシミリデータを出力する出力手段と、を備えることにより前記第１の目的を達成する。
【０００９】
請求項３記載の発明は、請求項１または請求項２記載の発明において、前記無線端末装置と前記記憶装置との接続状態を検出する検出手段と、前記検出手段により前記無線端末装置と前記記憶装置との非接続状態が検出された場合、前記本体装置における前記ファクシミリデータの受信を拒否する受信拒否手段と、を備えることにより前記第１の目的を達成する。
【００１０】
請求項４記載の発明は、請求項３記載の発明において、前記受信拒否手段により前記本体装置における前記ファクシミリデータの受信が拒否されている期間に、前記本体装置と前記無線端末装置との間の無線通信を制御する箇所以外への電源供給を遮断する電源供給遮断手段を備えることにより前記第２の目的を達成する。
【００１１】
請求項５記載の発明は、請求項２記載の発明において、前記本体装置で受信した前記ファクシミリデータ、または前記本体装置から送信する前記ファクシミリデータの通信管理情報を記載した管理データを作成する作成手段を備え、前記暗号化手段は、前記作成手段により作成された前記管理データと前記ファクシミリデータとを前記暗号キーを用いて暗号化し、前記格納手段は、前記暗号化ファクシミリデータに暗号化管理データを付して前記無線端末装置に転送して前記記憶装置に格納し、前記データ読出手段は、前記暗号化管理データに基づいて前記暗号化ファクシミリデータの読み出しを行うことにより前記第１の目的を達成する。
【００１２】
請求項６記載の発明は、請求項５記載の発明において、前記本体装置から前記公衆回線網または前記ネットワーク回線網を介して行われたファクシミリ通信の履歴データを、前記管理データに反映させる管理データ書き換え手段を備えたことにより前記第１の目的を達成する。
【００１３】
【発明の実施の形態】
以下、本発明のファクシミリ装置における好適な実施の形態について、図１から図１０を参照して詳細に説明する。
図１は、本実施の形態に係る無線ファクシミリシステムの概略構成を示した図である。
図１に示すように、無線ファクシミリシステムは、無線通信機能を備えたファクシミリ装置１００、無線端末装置３００、ファクシミリ装置１００と無線端末装置３００の接続を制御する無線基地２００とから構成されている。
また、ファクシミリ装置１００は、例えば、既存のＩ−ＦＡＸ（ネットワーク対応型）４００、メールサーバ５００、クライアントＰＣ６００等とＬＡＮ（ローカル・エリア・ネットワーク）を介して接続されている。
なお、ファクシミリ装置１００は、公衆回線網（アナログ回線網、内線網、ＩＳＤＮ電話網など）を介してファクシミリ通信が可能な本体装置である。
【００１４】
図２は、本実施の形態に係る無線ファクシミリシステムのファクシミリ装置１００の構成を示した図である。
図２に示すように、ファクシミリ装置１００は、大きく分けてコピー制御部１、通信制御部２、電源供給部３から構成されている。
コピー制御部１は、操作パネルの制御、スキャナの読み込み、プリント出力などの処理を行う。
【００１５】
このコピー制御部１は、ＭＰＵ（マイクロ・プロセッシング・ユニット）１１、ＲＯＭ（リード・オンリ・メモリ）１２、ＲＡＭ（ランダム・アクセス・メモリ）１３、ｗｏｒｋ＿ＲＡＭ１４、圧縮伸長制御部１５ａ、コピー画像メモリ１５ｂ、操作パネル１６ａ、操作パネル制御部１６ｂ、スキャナ１７ａ、スキャナ制御部１７ｂ、プロッタ１８ａ、プロッタ制御部１８ｂ、各種ＩＯ１９ａ、ＩＯ制御部１９ｂから構成され、各々が内部バスを介して接続されている。
【００１６】
ＭＰＵ１１は、ＣＰＵ（中央演算処理装置）およびペリフェラル回路から構成される、コピー制御部１全体を制御するための演算処理装置である。
ＲＯＭ１２は、コピー制御部１を制御する際に使用されるプログラムファイルが格納されている読み出し専用の記憶装置である。
ＲＡＭ１３は、プログラム実行時の各設定情報を記憶する書き込みおよび読み出しが可能な記憶装置である。このＲＡＭ１３は、一次電池などでバックアップされているため、電源が遮断された場合であっても、記憶されている情報（内容）が保持されるようになっている。
ｗｏｒｋ＿ＲＡＭ１４は、コピー制御部１で画像データの処理を行う際に作業領域として使用される書き込みおよび読み出しが可能な記憶装置である。
【００１７】
圧縮伸長制御部１５ａは、コピー制御部１における画像データのファイリング機能に適するように画像データの圧縮伸長処理を行う画像データ処理部である。
コピー画像メモリ１５ｂは、圧縮伸長制御部１５ａで処理された画像データを蓄積するためのローカルメモリである。
操作パネル１６ａは、本実施の形態に係るファクシミリ装置１００全般で使用される、テンキーやファンクションキー、ディスプレイなどを備えた入出力装置である。
操作パネル制御部１６ｂは、操作パネル１６ａから入力されたデータの入力処理や、操作パネル１６ａに各種情報を表示する出力処理の制御を行う制御装置である。
【００１８】
スキャナ１７ａは、画像データをファクシミリ装置１００に入力するための入力装置であり、スキャナ制御部１７ｂは、スキャナ１７ａでの画像データの読取処理の制御を行う制御装置である。
プロッタ１８ａは、紙媒体に画像を形成するための主力装置であり、プロッタ制御部１８ｂは、プロッタ１８ａでの画像形成処理の制御を行う制御装置である。なお、本実施例では、出力装置としてプロッタ１８ａを使用しているが、画像を形成することが可能であれば、熱転写、ドットインパクト、インクジェット、レーザ方式のプリンタ装置を使用するようにしてもよい。
各種Ｉ／Ｏ１９ａは、上述した操作パネル１６ａ、スキャナ１７ａ、プロッタ１８ａを除くその他の入出力装置であり、Ｉ／Ｏ制御部１９ｂは、各種Ｉ／Ｏ１９ａの制御を行う制御装置である。
各種Ｉ／Ｏ１９ａとしては、例えば、スキャナ１７ａやプロッタ１８ａに備えられている用紙センサ、ファクシミリ装置１００の開閉部に設けられたカバー（ドア）センサ、ファクシミリ装置１００の高温部に備えられた温度センサなどがある。
【００１９】
また、通信制御部２は、各種通信の制御部を介してデータの送受信処理を行う制御装置である。
この通信制御部２は通信制御コントローラ２１、ＲＯＭ２２、ＲＡＭ２３、ｗｏｒｋ＿ＲＡＭ２４、ｆａｘ画像処理部２５ａ、ｆａｘ画像メモリ２５ｂ、アナログ回線Ｉ／Ｆ２６ａ、Ｇ３（グループ３）ｆａｘモデム２６ｂ、デジタル回線Ｉ／Ｆ２７ａ、ＩＳＤＮ制御部２７ｂ、ＬＡＮ制御部２８、無線アンテナ２９ａ、無線制御部Ｉ／Ｆ２９ｂ、無線制御部２９ｃ、から構成され、各々が内部バスを介して接続されている。
【００２０】
通信制御コントローラ２１は、通信制御およびコピー制御部１とのデータのやり取りを行う制御装置である。
ＲＯＭ２２は、通信制御部２を制御する際に使用されるプログラムファイルが格納されている読み出し専用の記憶装置である。
ＲＡＭ２３は、プログラム実行時の各設定情報を記憶する書き込みおよび読み出しが可能な記憶装置である。このＲＡＭ２３は、一次電池などでバックアップされているため、電源が遮断された場合であっても、記憶されている情報（内容）が保持されるようになっている。
ｗｏｒｋ＿ＲＡＭ２４は、通信制御部２で画像データの処理を行う際に作業領域として使用される書き込みおよび読み出しが可能な記憶装置である。
【００２１】
ｆａｘ画像処理部２５ａは、通信制御部２に設けられた通信ポートを介して送受信されるデータを各通信ポートに適応した画像データに変換するための圧縮伸長処理を行う画像データ処理部である。
ｆａｘ画像メモリ２５ｂは、ｆａｘ画像処理部２５ａで処理された画像データを蓄積するためのローカルメモリである。
アナログ回線Ｉ／Ｆ２６ａは、アナログ電話網や内線網などのアナログ回線を介してデータの送受信を行う通信ポートである。
Ｇ３ｆａｘモデム２６ｂは、アナログ電話回線を介して画像データを送受信する際のファクシミリ信号の規格（Ｇ３規格）に基づいて、アナログ回線Ｉ／Ｆ２６ａを介してファクシミリ通信を行うモデム装置である。
【００２２】
デジタル回線Ｉ／Ｆ２７ａは、ＩＳＤＮ電話網などのデジタル回線を介してデータの送受信を行う通信ポートである。
ＩＳＤＮ制御部２７ｂは、デジタル電話回線を介して画像データを送受信する際のファクシミリ信号の規格（Ｇ４規格）に基づいて、デジタル回線Ｉ／Ｆ２７ａを介してファクシミリ通信を行う制御装置である。このＩＳＤＮ制御部２７ｂでは、Ｈ／Ｓ（ハンド・シェイク）制御やＡ／Ｄ（アナログ／デジタル）変換などを行うことによってＧ４ファクシミリ通信を行う。
Ｇ３ｆａｘモデム２６ｂおよびＩＳＤＮ制御部２７ｂにデータ通信プロトコル処理をさせることにより、アナログ回線およびデジタル回線を介してデータの送受信を行うことができるようになっている。
ＬＡＮ制御部２８は、同一ＬＡＮに接続されているクライアントＰＣ６００とデータ通信を行う通信ポートである。
【００２３】
無線アンテナ２９ａは、後述する無線端末装置３００とファクシミリ装置１００の間で無線通信を行う際に使用するアンテナ（空中線）である。
無線制御部Ｉ／Ｆ２９ｂは、後述する無線端末装置３００とファクシミリ装置１００の間で無線通信を行う通信ポートである。
無線制御部２９ｃは、後述する無線端末装置３００とファクシミリ装置１００の間で行う無線通信を制御する制御装置である。
なお、無線アンテナ２９ａ、無線制御部Ｉ／Ｆ２９ｂ、無線制御部２９ｃを介して無線端末装置３００と無線通信を行うシステムを無線通信システムとする。
コピー制御部１と通信制御部２とはブリッジ４を介して接続されている。
【００２４】
電源供給部３は、コピー制御部１および通信制御部２に直流電源を供給する電力供給源であり、直流電源供給部３１ａおよびＡＣ（交流）コード３１ｂを備えている。
ＡＣコード３１ｂは、商用電圧を電源供給部３に入力するためのプラグである。
直流電源供給部３１ａは、ＡＣコード３１ｂから入力された交流電圧を直流電圧に変換する電圧変換装置である。
【００２５】
本実施例では、直流電源供給部３１ａにおいて２系統（Ｖ１、Ｖ２）の直流電源を生成している。
Ｖ１は、ファクシミリ装置１００全般で使用される電力を供給するための電源であり、ＩＯ制御部１９ｂからの出力信号（コマンド）に基づいて、ＯＮ、ＯＦＦができるようになっている。
また、Ｖ２は、無線制御部２９ｃで使用される電力のみを供給するための電源であり、ＡＣコード３１ｂから商用電圧が印加されている間は、常時ＯＮ状態となっている。
なお、無線制御部２９ｃは、他の部と供給される直流電源の系統が異なるため、もう一方の系統の直流電源との絶縁距離、漏れ（リーク）電流量が十分に考慮されている。
【００２６】
図３は、無線制御部２９ｃの概略構成を示した図である。
図３に示すように、無線制御部２９ｃは、ＭＰＵ２９１、ＲＯＭ２９２、ｗｏｒｋ＿ＲＡＭ２９３、暗号化処理部２９４ａ、ＰＲＯＭ（プログラマブルＲＯＭ）２９４ｂ、ＰＩＯ（プログラム入出力装置）２９５、ＢＵＦ（バッファ）２９６、ＢＵＦ２９７から構成され、各々が内部バスを介して接続されている。
ＭＰＵ２９１は、ＣＰＵおよびペリフェラル回路から構成される、無線制御部２９ｃ全体を制御するための演算処理装置であり、コピー制御部１のＭＰＵ１１や通信制御部２の通信制御コントローラ２１から転送されるコマンドの指示に従って無線通信処理を実行する。
【００２７】
ＲＯＭ２９２は、無線制御部２９ｃを制御する際に使用されるプログラムファイルが格納されている読み出し専用の記憶装置である。
ｗｏｒｋ＿ＲＡＭ２９３は、無線制御部２９ｃでデータの処理を行う際に作業領域として使用される書き込みおよび読み出しが可能な記憶装置である。
暗号化処理部２９４ａは、無線通信において送受信されるデータの暗号化処理および復号化処理を行うデータ処理装置である。
【００２８】
ＰＲＯＭ２９４ｂは、暗号化処理部２９４ａにローカル接続され、データの暗号化処理および復号化処理を行う際に使用される各種データが記憶されている記憶装置である。
ＰＩＯ２９５は、ハードディスクなどの外部記憶装置とメモリの間のデータの受け渡しにおいてＣＰＵが制御する転送方式を採用した入出力装置である。
ＢＵＦ２９６およびＢＵＦ２９７は、転送の待ち時間を減らしたり、データのあふれを防止したりするための一時的にデータを記憶させる記憶装置である。
なお、無線制御部２９ｃは、ＢＵＦ２９６を介して無線制御部Ｉ／Ｆ２９ｂと、また、ＢＵＦ２９７を介して通信制御部２の内部バスと接続されている。
【００２９】
図４は、本実施の形態に係る無線ファクシミリシステムの無線端末装置３００の構成を示した図である。
無線端末装置３００は、ＭＰＵ３０１、ＲＯＭ３０２、ＲＡＭ３０３、ｗｏｒｋ＿ＲＡＭ３０４、無線アンテナ３０５ａ、無線Ｉ／Ｆ３０５ｂ、メモリＩ／Ｆ３０６ａ、大容量メモリ３０６ｂから構成され、各々が内部バスを介して接続されている。
また、無線端末装置３００は、直流電源供給部３０７ａおよびＡＣコード３０７ｂを備えている。
【００３０】
ＭＰＵ３０１は、ＣＰＵおよびペリフェラル回路から構成される、無線端末装置３００全体を制御するための演算処理装置である。
ＲＯＭ３０２は、無線端末装置３００を制御する際に使用されるプログラムファイルが格納されている読み出し専用の記憶装置である。
ＲＡＭ３０３は、プログラム実行時の各設定情報を記憶する書き込みおよび読み出しが可能な記憶装置である。このＲＡＭ３０３は、一次電池などでバックアップされているため、電源が遮断された場合であっても、記憶されている情報（内容）が保持されるようになっている。
【００３１】
ｗｏｒｋ＿ＲＡＭ３０４、無線端末装置３００で画像データの処理を行う際に作業領域として使用される書き込みおよび読み出しが可能な記憶装置である。
無線アンテナ３０５ａは、無線端末装置３００とファクシミリ装置１００の間で無線通信を行う際に使用するアンテナである。
無線Ｉ／Ｆ３０５ｂは、無線端末装置３００とファクシミリ装置１００の間で無線通信を行う通信ポートである。
大容量メモリ３０６ｂは、ＨＤＤ（ハード・ディスク・ドライブ）等で構成される大容量メモリである。この大容量メモリ３０６ｂは、無線端末装置３００から着脱が可能な外付けタイプのメモリ装置である。
【００３２】
メモリＩ／Ｆ３０６ａは、大容量メモリ３０６ｂを無線端末装置３００に接続するためのインターフェースである。
ＡＣコード３０７ｂは、商用電圧を無線端末装置３００に入力するためのプラグである。
直流電源供給部３０７ａは、ＡＣコード３０７ｂから入力された交流電圧を直流電圧に変換する電圧変換装置である。この直流電源供給部３０７ａの出力が、無線端末装置３００の各部へ供給されるようになっている。
なお、ここでは、ＡＣコード３０７ｂと直流電源供給部３０７ａを別々に設けるようにしているが、両者が一体化されているＡＣアダプタを使用するようにしてもよい。
【００３３】
本実施の形態に係る無線ファクシミリシステムでは、ファクシミリ装置１００の無線制御部２９ｃに設けられているＰＲＯＭ２９４ｂと、無線端末装置３００に設けられているＲＯＭ３０２には、ＩＤ（識別子）番号と一対一で対応した暗号キーが書き込まれ（格納され）ている。
このＩＤ番号は、シリアル番号と同様ファクシミリ装置１００ごとに固有の番号であり、工場の出荷時に書き込まれるようになっている。
なお、このＩＤ番号および暗号キーは、ユーザには公開されないようになっている。
【００３４】
次に、このように構成された無線ファクシミリシステムにおける動作について説明する。
本実施の形態に係る無線ファクシミリシステムは、ファクシミリ送受信データに対して秘匿保持を可能にするシステムである。
詳しくは、受信したファクシミリデータの受取人（クライアントＰＣ６００）が不明な（存在しない場合や、指定アドレスにミスがある）場合などに、受信したファクシミリデータを無線を介して接続された無線端末装置３００に転送して保存することによって、ファクシミリデータの漏洩を防止するシステムである。
【００３５】
なお、本実施の形態に係る無線ファクシミリシステムに設けられているファクシミリ装置１００は、プリンタ機能や複写機能等を一体化した複合装置であってもよい。このような、ファクシミリ装置１００を含む複合装置を用いる場合、ファクシミリ機能を除くその他の機能においては、一般的な省エネルギー機能を備えているものとする。
一般的な省エネルギー機能とは、ファクシミリ装置１００（複合装置を含む）の消費電力を低減するための機能であり、例えば、一定時間操作がなされない場合に、消費電力量が比較的多いプロッタ１８ａの電力供給を停止したり、操作パネル１６ａの電力供給を停止したりする機能を示す、
以下、このような一般的な省エネルギー機能が動作している状態を省エネモード（１）とする。
本実施の形態に係るファクシミリ装置１００では、省エネモード（１）の状態であっても、ロジック制御を行うための電力供給は常時行われており、ＭＰＵ１１や通信制御コントローラ２１では、待機状態におけるプログラムを起動し処理を実行している。
【００３６】
まず、他のファクシミリ装置から、アナログ電話網、内線網もしくはＩＳＤＮ電話網などの公衆回線網を介してファクシミリデータが送信されると、ファクシミリ装置１００は、公衆回線網に対応した受信部（Ｇ３ｆａｘモデム２６ｂやＩＳＤＮ制御部２７ｂ）で応答し、送信されたファクシミリデータを受信するようになっている。
また、インターネット経由でＬＡＮなどからファクシミリデータが送信された場合には、ＬＡＮ制御部２８で応答し送信されたファクシミリデータを受信するようになっている。
【００３７】
これらの応答によりファクシミリ通信が確立されファクシミリデータが受信されると、ファクシミリ装置１００は、受信したファクシミリデータを一旦通信制御部２のｗｏｒｋ＿ＲＡＭ２４に格納（蓄積）する。
そして、ファクシミリ装置は、ｗｏｒｋ＿ＲＡＭ２４に格納されたファクシミリデータの宛先を検出する。
なお、ファクシミリデータの宛先とは、当該ファクシミリ装置１００のアドレス（ファクシミリ番号やＩＰアドレス）と別に指定されている、ファクシミリ装置１００と同一ＬＡＮ上に存在するクライアントＰＣ６００のアドレス（ＩＰアドレスやメールアドレスなど）を示す。
【００３８】
ｗｏｒｋ＿ＲＡＭ２４に格納されたファクシミリデータの宛先が検出された場合、つまり、受信したファクシミリデータが、クライアントＰＣ６００を宛先指定したものである場合には、ファクシミリ装置１００は、ＬＡＮ制御部２８を介して、受信したファクシミリデータをＬＡＮ上に設けられているメールサーバ５００に転送する。
メールサーバ５００は、転送されたファクシミリデータを受信し、通常の電子メールと同様に指定された宛先のクライアントＰＣ６００に対してファクシミリデータの配信（転送）処理を行う。
【００３９】
図５は、クライアントＰＣ６００が宛先に指定されていないファクシミリデータの受信処理の手順を示したフローチャートである。
ｗｏｒｋ＿ＲＡＭ２４に格納されたファクシミリデータの宛先が検出されない場合、つまり、受信したファクシミリデータが、クライアントＰＣ６００が宛先に指定されていない場合には、ファクシミリ装置１００は、受信したファクシミリデータを無線端末装置３００に格納する。
【００４０】
そのため、まずファクシミリ装置１００は、無線端末装置３００にファクシミリデータを転送する旨を通知するために、またファクシミリデータの転送が可能であるか否かを確認するために、無線制御部Ｉ／Ｆ２９ｂを介して、ファクシミリデータの転送要求コマンドを無線端末装置３００に送信する（ステップ１１）。
無線端末装置３００は、ファクシミリデータの転送要求コマンドを受信し、ファクシミリデータの受信が可能である場合には、ＡＣＫ（確認応答）信号をファクシミリ装置１００に送信するようになっている。
なお、無線端末装置３００は、ＲＯＭ３０２に書き込まれているＩＤ番号を、返信するＡＣＫ信号に添付するようになっている。
【００４１】
ファクシミリ装置１００は、ファクシミリデータの転送要求コマンドを送信した後、無線端末装置３００からＡＣＫ信号が返信されたか否かを判断する（ステップ１２）。
無線端末装置３００からＡＣＫ信号が返信された場合（ステップ１２；Ｙ）、ファクシミリ装置１００は、返信されたＡＣＫ信号に添付されている無線端末装置３００のＩＤ番号と、ファクシミリ装置１００の無線制御部２９ｃに設けられているＰＲＯＭ２９４ｂに書き込まれているＩＤ番号とを比較し、これらのＩＤ番号が一致するか否かを判断する（ステップ１３）。
【００４２】
無線端末装置３００のＩＤ番号とＰＲＯＭ２９４ｂに書き込まれているＩＤ番号とが一致した場合（ステップ１３；Ｙ）、ファクシミリ装置１００は、ファクシミリデータの通信管理データを作成する（ステップ１４）。
このファクシミリデータの通信管理データとは、例えば、受信時刻、送信元情報、データ量などを示したデータであり、受信したファクシミリデータのインデックス機能を有している。
次に、ファクシミリ装置１００は、受信したファクシミリデータ、および作成された通信管理データを別々に、ＰＲＯＭ２９４ｂに格納されている暗号キーを用いて暗号化する（ステップ１５）。
なお、このファクシミリデータの暗号化処理は、ファクシミリ装置１００の無線制御部２９ｃに設けられている暗号化処理部２９４ａで行われる。
【００４３】
ファクシミリ装置１００は、暗号化されたファクシミリデータおよび通信管理データを無線制御部Ｉ／Ｆ２９ｂを介して、無線端末装置３００に転送する（ステップ１６）。
無線端末装置３００は、ファクシミリデータおよび通信管理データを受信して、大容量メモリ３０６ｂに格納し、これらのデータ受信が完了した後にデータ転送完了のＡＣＫ信号をファクシミリ装置に送信する。
ファクシミリ装置１００は、無線端末装置３００から送信されたデータ転送完了のＡＣＫ信号を受信することによりデータの転送が完了したことを判断することができるようになっている。
【００４４】
ファクシミリ装置１００は、暗号化されたファクシミリデータおよび通信管理データを転送した後、無線端末装置３００からデータ転送完了のＡＣＫ信号が返信されたか否かを判断する（ステップ１７）。
無線端末装置３００から転送完了のＡＣＫ信号が返信された場合（ステップ１７；Ｙ）、ファクシミリ装置１００は、ファクシミリデータの通信管理データを通信制御部２のＲＡＭ２３に格納する（ステップ１８）。
次に、ファクシミリ装置１００は、ｗｏｒｋ＿ＲＡＭ２４に格納されているファクシミリデータを破棄（削除）し（ステップ１９）、処理を終了する。
【００４５】
一方、ステップ１２の処理において、無線端末装置３００からＡＣＫ信号が返信されない場合（ステップ１２；Ｎ）、ファクシミリ装置１００は、タイム・アウト（時間切れ）の検出を行う（ステップ２０）。
タイム・アウトとは、予め決めた時間内にデータ処理やデータ伝送が終わらないときに検出される異常状態のことであり、このタイム・アウトの検出は、ハードウエアあるいはソフトウエアのタイマーを使用して行われる。
ここで、タイム・アウトが検出されない場合（ステップ２０；Ｎ）には、引き続き無線端末装置３００から返信されるＡＣＫ信号を待つ。
タイム・アウトが検出された場合（ステップ２０；Ｙ）には、ファクシミリ装置１００は、ファクシミリデータの転送要求コマンドの送信処理においてエラーが発生したと判断し（ステップ２１）、そのまま処理を終了する。
【００４６】
また、ステップ１７の処理において、無線端末装置３００からデータ転送完了のＡＣＫ信号が返信されない場合（ステップ１７；Ｎ）、ファクシミリ装置１００は、タイム・アウトの検出を行う（ステップ２２）。
ここで、タイム・アウトが検出されない場合（ステップ２２；Ｎ）には、引き続き無線端末装置３００から返信されるデータ転送完了のＡＣＫ信号を待つ。
また、タイム・アウトが検出された場合（ステップ２２；Ｙ）には、ファクシミリ装置１００は、ファクシミリデータの転送処理の途中でエラーが発生したと判断する（ステップ２３）。
そして、ファクシミリ装置１００は、ｗｏｒｋ＿ＲＡＭ２４に格納されているファクシミリデータを破棄（削除）し（ステップ２４）、処理を終了する。
【００４７】
無線端末装置３００は、ファクシミリ装置１００から転送された暗号化されたファクシミリデータおよび通信管理データを受信すると、無線端末装置３００のＭＰＵ３０１において、これらのデータに規則性のない無作為に作成されたランダムなヘッダーを付した後に、メモリＩ／Ｆ３０６ａを介して大容量メモリ３０６ｂに格納（蓄積する）。
大容量メモリ３０６ｂに格納されているデータは、暗号化キーを用いて暗号化されたデータであるため、外部からアクセスされてもデータを解析することができないようになっている。
このようにして大容量メモリ３０６ｂにデータを格納することにより、ファクシミリデータの内容が第三者へ漏洩してしまうことを防止することができる。
また、無線ファクシミリシステムの管理者は、ファクシミリデータの転送や読み出しを行う時以外、この大容量メモリ３０６ｂを無線端末装置３００から取り外しておくことにより、物理的に大容量メモリ３０６ｂに第三者がアクセスできなようにさせることもできる。
【００４８】
図６は、無線端末装置３００の大容量メモリ３０６ｂに格納されているファクシミリデータをファクシミリ装置１００に出力する処理の手順について示したフローチャートである。
はじめに、ユーザは、大容量メモリ３０６ｂが無線端末装置３００に装着（セット）されていることを確認しておく。
なお、ファクシミリ装置１００が省エネモード（１）の状態にある場合には、予め通常モードに復帰させておくようにする。
無線端末装置３００の大容量メモリ３０６ｂに格納されているファクシミリデータをファクシミリ装置１００に出力する場合、まず、ファクシミリ装置１００は、暗証番号やログインＩＤなどを入力させることによって認証処理を行った後に、通信制御部２のＲＡＭ２３に格納されているファクシミリデータの通信管理データ群を操作パネル１６ａのディスプレイに表示する。
ユーザは、これらの通信管理データ群から、出力するファクシミリデータに対応する通信管理データを指定する（ステップ３１）。
【００４９】
そして、ファクシミリ装置１００は、指定された通信管理データに対応するファクシミリデータの出力要求を無線端末装置３００に送信する（ステップ３２）。
無線端末装置３００は、ファクシミリデータの出力要求を受信し、ファクシミリデータの出力（転送）が可能である場合には、ＡＣＫ（確認応答）信号をファクシミリ装置１００に送信するようになっている。
ファクシミリ装置１００は、ファクシミリデータの出力要求を送信した後、無線端末装置３００からＡＣＫ信号が返信されたか否かを判断する（ステップ３３）。
無線端末装置３００からＡＣＫ信号が返信された場合（ステップ３３；Ｙ）、無線端末装置３００は、ファクシミリデータの出力要求に添付されている通信管理データに対応する暗号化ファクシミリデータを大容量メモリ３０６ｂから読み出し、ファクシミリ装置１００へ転送する（ステップ３４）。
【００５０】
そして、無線端末装置３００は、ファクシミリデータの転送が完了した後、該当するファクシミリデータを大容量メモリ３０６ｂから破棄（削除）する。
ファクシミリ装置１００は、暗号化ファクシミリデータを受信し、無線制御部２９ｃのｗｏｒｋ＿ＲＡＭ２９３に格納し、暗号化処理部２９４ａにおいてこの暗号化ファクシミリデータの復号化を行う（ステップ３５）。
なお、ファクシミリデータの復号化が完了した時点で、ｗｏｒｋ＿ＲＡＭ２９３に格納された暗号化ファクシミリデータを破棄（削除）する。
次に、ファクシミリ装置１００は、復号化されたファクシミリデータをコピー制御部１の圧縮伸長制御部１５ａに転送し、このファクシミリデータに基づいてプロッタ出力用のデータを作成する（ステップ３６）。
ファクシミリ装置１００は、プロッタ出力用のデータをプロッタ制御部１８ｂに転送し、プロッタ１８ａにおいてプロッタ出力し（ステップ３７）、処理を終了する。
【００５１】
一方、ステップ３３の処理において、無線端末装置３００からＡＣＫ信号が返信されない場合（ステップ３３；Ｎ）ファクシミリ装置１００は、タイム・アウトの検出を行う（ステップ３８）。
ここで、タイム・アウトが検出されない場合（ステップ３８；Ｎ）には、引き続き無線端末装置３００から返信されるデータ転送完了のＡＣＫ信号を待つ。
また、タイム・アウトが検出された場合（ステップ３８；Ｙ）には、ファクシミリ装置１００は、ファクシミリデータの出力要求の送信処理においてエラーが発生したと判断し（ステップ３９）、通信制御部２の通信制御コントローラ２１に対して出力拒否コマンドを送信した後、処理を終了する。
【００５２】
本実施の形態では、次のような方法によって無線端末装置３００に備えられている大容量メモリ３０６ｂの接続状況をファクシミリ装置１００に認識させることができる。
無線端末装置３００のＭＰＵ３０１が、大容量メモリ３０６ｂの予め決められているデータ領域に定期的にアクセスするように設定しておく。
なお、予め決められているデータ領域には、大容量メモリが正規に接続していなければ読み取ることができないデータが書き込まれている。例えば、メモリＩ／Ｆ３０６ｂと対になった暗号データを予め大容量メモリ３０６ｂに書き込んでおく。
【００５３】
無線端末装置３００のＭＰＵ３０１が、上述した大容量メモリ３０６ｂの領域にアクセスができない場合、つまり、正しいデータが大容量メモリ３０６ｂから読み出せない場合、ファクシミリ装置１００は、大容量メモリ３０６ｂが無線端末装置３００から取り外された状態にあることを検出（認識）することができるようになっている。
このようにして、大容量メモリ３０６ｂが無線端末装置３００から取り外された状態が検出された場合には、ファクシミリ装置１００は、無線端末装置３００へのファクシミリデータの転送が不可能である旨のコマンドデータをコピー制御部１および通信制御部２に対して通知する。
このコマンドデータを通知することによって、クライアントＰＣ６００が宛先に指定されていないファクシミリ通信の呼び出しに対して応答しないように設定することができる。
【００５４】
このように、大容量メモリ３０６ｂへのデータ転送が不可能な場合に、クライアントＰＣ６００が宛先に指定されていないファクシミリデータの受信を拒否することにより、宛先指定がされていないファクシミリデータがファクシミリ装置１００に蓄積されてしまうことがなく、第三者にファクシミリデータが漏洩してしまうことを防止することができる。
なお、大容量メモリ３０６ｂが、再度セットされた場合には、ファクシミリ装置１００は、無線端末装置３００へのファクシミリデータの転送が可能である旨のコマンドデータをコピー制御部１および通信制御部２に対して通知し、クライアントＰＣ６００が宛先に指定されていないファクシミリ通信の呼び出しに対する応答を復帰する。
【００５５】
図７は、本実施の形態に係るファクシミリ装置１００における省電力エネルギーモードへの移行処理の手順について示したフローチャートである。
上述したように、ファクシミリ装置１００は、省エネルギー機能を備えているため、一定時間操作がなされない場合には、省エネモード（１）の状態に移行する（ステップ４１）。
さらに、ファクシミリ装置１００は、大容量メモリ３０６ｂが無線端末装置３００から取り外されている旨のコマンドが通知されているか否かを判断する（ステップ４２）。
【００５６】
大容量メモリ３０６ｂが無線端末装置３００から取り外されている旨のコマンドが通知されていない場合（ステップ４２；Ｎ）、ファクシミリ装置１００は、そのまま省エネモード（１）の状態を保持する。
大容量メモリ３０６ｂが無線端末装置３００から取り外されている旨のコマンドが通知されている場合（ステップ４２；Ｙ）、ファクシミリ装置１００は、通信制御部２の通信制御コントローラ２１にコマンドを通知するとともに、コピー制御部１のＩＯ制御部１９ｂから、電源供給部３の直流電源供給部３１ａで生成される直流電源のうちＶ１系統の電源を遮断するコマンドを直流電源供給部３１ａへ送信する（ステップ４３）。
【００５７】
電源供給部３の直流電源供給部３１ａは、コマンドを受信するとＶ１系統の電源を遮断して、つまり無線制御部２９ｃ以外の各部への電源供給を遮断した状態（以下、省エネモード（２）とする）に移行する（ステップ４４）。
そして、ファクシミリ装置１００は、ｗｏｒｋ＿ＲＡＭ２９３において実行中のプログラムデータの領域に、大容量メモリ３０６ｂが無線端末装置３００から取り外されている旨のコマンドが通知されていることを示す大容量メモリ３０６ｂの取り外しフラグを立て（ＯＮにする）（ステップ４５）、処理を終了する。
なお、省エネモード（２）であっても、直流電源供給部３１ａにおける電源供給の切り替え設定は可能である。
【００５８】
図８は、本実施の形態に係るファクシミリ装置１００における省電力エネルギーモードへの再移行処理の手順について示したフローチャートである。
省エネモード（２）の状態にあるファクシミリ装置１００は、ユーザによって主電源を投入し直すことによって通常モードの待機状態に復帰する（ステップ５１）。
そして、通常モードに復帰したファクシミリ装置１００は、無線制御部２９ｃのｗｏｒｋ＿ＲＡＭ２９３の大容量メモリ３０６ｂの取り外しフラグがＯＮ状態であるか否かを判断する（ステップ５２）。
【００５９】
大容量メモリ３０６ｂの取り外しフラグがＯＮ状態でない場合（ステップ５２；Ｎ）、ファクシミリ装置１００は、何れの省エネモードにも移行せずに処理を終了する。
一方、大容量メモリ３０６ｂの取り外しフラグがＯＮ状態である場合（ステップ５２；Ｙ）、クライアントＰＣ６００が宛先に指定されていないファクシミリデータの受信を拒否する設定を行う（ステップ５３）。
そして、ファクシミリ装置１００は、省エネモード（１）の状態に移行することができるか否かを判断する（ステップ５４）。
ここでは、一定時間操作がなされていない場合を、省エネモード（１）の状態に移行することができる状態であると判断する。
【００６０】
省エネモード（１）の状態に移行することができない場合（ステップ５４；Ｎ）、ファクシミリ装置１００は、引き続き現状の状態を保持する。
一方、省エネモード（１）の状態に移行することができる場合（ステップ５４；Ｙ）、ファクシミリ装置１００は、通信制御部２の通信制御コントローラ２１にコマンドを通知するとともに、コピー制御部１のＩＯ制御部１９ｂから、電源供給部３の直流電源供給部３１ａで生成される直流電源のうちＶ１系統の電源を遮断するコマンドを直流電源供給部３１ａへ送信する（ステップ５５）。
電源供給部３の直流電源供給部３１ａは、コマンドを受信するとＶ１系統の電源を遮断し、ファクシミリ装置１００は、省エネモード（２）へ移行し（ステップ５６）、処理を終了する。
【００６１】
図９は、本実施の形態に係る無線ファクシミリシステムにおけるファクシミリデータの送信処理の手順について示したフローチャートである。
ファクシミリ装置１００のコピー制御部１に設けられたスキャナ１７ａからファクシミリ送信をする原稿が読み込まれ、ファクシミリ送信用の画像データが作成されると、ユーザは、ファクシミリ送信要求を通信制御部２の通信制御コントローラ２１へ出す（ステップ６１）。
ファクシミリ送信要求は、コピー制御部１の操作パネル１６ａを操作することによって出すことができるようになっている。
【００６２】
ファクシミリ送信要求が出された後、コピー制御部１のＭＰＵ１１は、作成したファクシミリ送信用の画像データをブリッジ４を介して通信制御部２のｗｏｒｋ＿ＲＡＭ２４に転送し、一時格納（蓄積）する（ステップ６２）。
なお、ＬＡＮ上のクライアントＰＣ６００からファクシミリ送信要求が出された場合には、ＬＡＮ制御部２８を介して画像データを通信制御部２のｗｏｒｋ＿ＲＡＭ２４に転送し、一時格納（蓄積）する。
【００６３】
また、データの転送時の負荷を低減させるための、圧縮した画像データをｗｏｒｋ＿ＲＡＭ２４に格納するようにしてもよい。
ｗｏｒｋ＿ＲＡＭ２４に格納されるファクシミリ送信用の画像データには、当該画像データのファクシミリ通信を実行する際の詳細な設定を示した送信オプションデータが添付されている。
通信制御コントローラ２１は、この送信オプションの設定に従ってファクシミリ通信を行うようになっている。
【００６４】
次に、通信制御コントローラ２１は、ｗｏｒｋ＿ＲＡＭ２４に格納された画像データに添付されている送信オプションデータに設定されている送信モードが、即時送信モードであるか否かを判断する（ステップ６３）。
即時送信モードとは、ｗｏｒｋ＿ＲＡＭ２４に格納された画像データを速やかに指定された宛先へ送信する処理が指定されている状態を示す。
即時送信モードが設定されている場合（ステップ６３；Ｙ）、ファクシミリ装置は、該当する回線網に対して発呼動作を行い、相手機（宛先）からの応答を確認した後、通常のファクシミリ通信を実行し、処理を終了する。
【００６５】
一方、即時送信モードが設定されていない場合（ステップ６３；Ｎ）、通信制御コントローラ２１は、ｗｏｒｋ＿ＲＡＭ２４に格納された画像データに添付されている送信オプションデータに設定されている送信モードが、時刻指定送信モードであるか否かを判断する（ステップ６４）。
なおこの処理は、即時送信モードが設定されている場合に実行される通常のファクシミリ通信の途中でエラーが発生してしまった場合の画像データに対して行うようにしてもよい。
時刻指定送信モードとは、ｗｏｒｋ＿ＲＡＭ２４に格納された画像データを、指定された時刻に達した時に、速やかに指定された宛先へ送信する処理が指定されている状態を示す。
【００６６】
時刻指定送信モードが設定されていない場合（ステップ６４；Ｎ）、ファクシミリ装置は、該当する回線網に対して発呼動作を行い、相手機（宛先）からの応答を確認した後、通常のファクシミリ通信を実行し、処理を終了する。
一方、時刻指定送信モードが設定されている場合（ステップ６４；Ｙ）、通信制御コントローラ２１は、ｗｏｒｋ＿ＲＡＭ２４に格納された画像データにＭＭＲ（Ｍｏｄｉｆｉｅｄ  Ｍｏｄｉｆｉｅｄ  ＲＥＡＤ  Ｃｏｄｅ）やＭＲ（Ｍｏｄｉｆｉｅｄ  ＲＥＡＤ  Ｃｏｄｅ）圧縮などのファクシミリ通信用の画像符号化処理を施す（ステップ６５）。
この画像符号化処理を施した送信前の画像データも、ファクシミリ受信したデータと同様にファクシミリデータとして扱う。
なおこの処理は、時刻指定送信モードが設定されていない場合に実行される通常のファクシミリ通信の途中でエラーが発生してしまった場合の画像データに対して行うようにしてもよい。
【００６７】
次に、ファクシミリ装置１００は、無線端末装置３００にファクシミリデータを転送する旨を通知するために、またファクシミリデータの転送が可能であるか否かを確認するために、無線制御部Ｉ／Ｆ２９ｂを介して、ファクシミリデータの転送要求コマンドを無線端末装置３００に送信する（ステップ６６）。
無線端末装置３００は、ファクシミリデータの転送要求コマンドを受信し、ファクシミリデータの受信が可能である場合には、ＡＣＫ（確認応答）信号をファクシミリ装置１００に送信するようになっている。
なお、無線端末装置３００は、ＲＯＭ３０２に書き込まれているＩＤ番号を、返信するＡＣＫ信号に添付するようになっている。
【００６８】
ファクシミリ装置１００は、ファクシミリデータの転送要求コマンドを送信した後、無線端末装置３００からＡＣＫ信号が返信されたか否かを判断する（ステップ６７）。
無線端末装置３００からＡＣＫ信号が返信された場合（ステップ６７；Ｙ）、ファクシミリ装置１００は、返信されたＡＣＫ信号に添付されている無線端末装置３００のＩＤ番号と、ファクシミリ装置１００の無線制御部２９ｃに設けられているＰＲＯＭ２９４ｂに書き込まれているＩＤ番号とを比較し、これらのＩＤ番号が一致するか否かを判断する（ステップ６８）。
【００６９】
無線端末装置３００のＩＤ番号とＰＲＯＭ２９４ｂに書き込まれているＩＤ番号とが一致した場合（ステップ６８；Ｙ）、ファクシミリ装置１００は、ファクシミリデータの通信管理データを作成する（ステップ６９）。
このファクシミリデータの通信管理データとは、例えば、送信指定時刻、送信元情報、データ量などを示したデータであり、送信するファクシミリデータのインデックス機能を有している。また、通信管理データには、送信オプションデータの内容が書き込まれている。
なお、通信管理データに書き込まれている送信指定時刻は、現在の時刻に予め設定されているインターバルを加算した時刻である。
次に、ファクシミリ装置１００は、送信するファクシミリデータ、および作成された通信管理データを別々に、ＰＲＯＭ２９４ｂに格納されている暗号キーを用いて暗号化する（ステップ７０）。
なお、このファクシミリデータの暗号化処理は、ファクシミリ装置１００の無線制御部２９ｃに設けられている暗号化処理部２９４ａで行われる。
【００７０】
ファクシミリ装置１００は、暗号化されたファクシミリデータおよび通信管理データを無線制御部Ｉ／Ｆ２９ｂを介して、無線端末装置３００に転送する（ステップ７１）。
無線端末装置３００は、ファクシミリデータおよび通信管理データを受信して大容量メモリ３０６ｂに格納し、これらのデータ受信が完了した後にデータ転送完了のＡＣＫ信号をファクシミリ装置１００に送信する。
ファクシミリ装置１００は、無線端末装置３００から送信されたデータ転送完了のＡＣＫ信号を受信することによりデータの転送が完了したことを判断することができるようになっている。
【００７１】
ファクシミリ装置１００は、暗号化されたファクシミリデータおよび通信管理データを送信した後、無線端末装置３００からデータ転送完了のＡＣＫ信号が返信されたか否かを判断する（ステップ７２）。
無線端末装置３００から転送完了のＡＣＫ信号が返信された場合（ステップ７２；Ｙ）、ファクシミリ装置１００は、ファクシミリデータの通信管理データを通信制御部２のＲＡＭ２３に格納する（ステップ７３）。
次に、ファクシミリ装置１００は、ｗｏｒｋ＿ＲＡＭ２４に格納されているファクシミリデータを破棄（削除）し（ステップ７４）、処理を終了する。
【００７２】
一方、ステップ６７の処理において、無線端末装置３００からＡＣＫ信号が返信されない場合（ステップ６７；Ｎ）、ファクシミリ装置１００は、タイム・アウト（時間切れ）の検出を行う（ステップ７５）。
ここで、タイム・アウトが検出されない場合（ステップ７５；Ｎ）には、引き続き無線端末装置３００から返信されるＡＣＫ信号を待つ。
タイム・アウトが検出された場合（ステップ７５；Ｙ）には、ファクシミリ装置１００は、ファクシミリデータの転送要求コマンドの送信処理においてエラーが発生したと判断し（ステップ７６）、そのまま処理を終了する。
【００７３】
また、ステップ７２の処理において、無線端末装置３００からデータ転送完了のＡＣＫ信号が返信されない場合（ステップ７２；Ｎ）、ファクシミリ装置１００は、タイム・アウトの検出を行う（ステップ７７）。
ここで、タイム・アウトが検出されない場合（ステップ７７；Ｎ）には、引き続き無線端末装置３００から返信されるデータ転送完了のＡＣＫ信号を待つ。
一方、タイム・アウトが検出された場合（ステップ７７；Ｙ）には、ファクシミリ装置１００は、ファクシミリデータの転送処理の途中でエラーが発生したと判断する（ステップ７８）。
そして、ファクシミリ装置１００は、ｗｏｒｋ＿ＲＡＭ２４に格納されているファクシミリデータを破棄（削除）し（ステップ７９）、処理を終了する。
【００７４】
図１０は、時刻指定送信モードが設定されたファクシミリデータの送信処理の手順について示したフローチャートである。
無線端末装置３００のＭＰＵ３０１は、大容量メモリ３０６ｂに格納されているファクシミリデータのヘッダー（通信管理データ部）を解析し、時刻指定送信モードが設定されているファクシミリデータを検出する（ステップ８１）。
そして、ＭＰＵ３０１は、検出されたファクシミリデータに設定されている指定時刻に達しているか否かを判断する（ステップ８２）。
この処理は、ＭＰＵ３０１に内蔵されているＲＴＣ（リアル・タイム・コンピュータ）時計の示す現在時刻と指定時刻とを比較することによって行われる。
指定時刻に達していない場合（ステップ８２；Ｎ）、再びステップ８１の処理を繰り返す。
一方、指定時刻に達している場合（ステップ８２；Ｙ）、ＭＰＵ３０１は、当該ファクシミリデータのファクシミリ送信要求コマンドをファクシミリ装置１００へ送信する（ステップ８３）。
【００７５】
そして、ファクシミリ装置１００から、ＡＣＫ（確認応答）信号が返信された後、無線端末装置３００は、ファクシミリデータの通信管理データをファクシミリ装置１００に送信する（ステップ８４）。
ファクシミリ装置１００は、受信した通信管理データに書き込まれている送信オプションデータの内容に基づいて、該当する回線網に対して発呼動作を行う（ステップ８５）。
ここでは、暗号化されている通信管理データを暗号化処理部２９４ａで復号化することによって、相手機のファクシミリ番号あるいはアドレスを判断することができるようになっている。
次に、ファクシミリ装置１００は、相手機（宛先）からの応答の有無を判断する（ステップ８６）。
【００７６】
相手機（宛先）からの応答がある場合（ステップ８６；Ｙ）、ファクシミリ装置１００は、通信管理データに対応するファクシミリデータの転送要求を無線端末装置３００に送信する（ステップ８７）。
そして、無線端末装置３００は、指定された通信管理データに対応するファクシミリデータを大容量メモリ３０６ｂから読み出し、ファクシミリ装置１００へ転送する（ステップ８８）。
無線端末装置３００は、ファクシミリデータの転送が完了した後、該当するファクシミリデータを大容量メモリ３０６ｂから破棄（削除）する。
ファクシミリ装置１００は、ファクシミリデータを受信して無線制御部２９ｃのｗｏｒｋ＿ＲＡＭ２９３に格納し、暗号化処理部２９４ａにおいてこの暗号化ファクシミリデータの復号化を行う。
【００７７】
ファクシミリ装置１００は、宛先と確立したファクシミリ通信条件に応じた圧縮処理や画像処理を、復号化されたファクシミリデータに施した後、相手機（宛先）に送信する（ステップ８９）。
ファクシミリ装置１００は、ファクシミリ送信が正常に終了したか否かを判断する（ステップ９０）。
ファクシミリ送信が正常に終了した場合（ステップ９０；Ｙ）、ファクシミリ装置１００は、ファクシミリ通信が終了した旨のコマンドを無線端末装置３００に送信する。
無線端末装置３００は、このコマンドを受信した後、大容量メモリ３０６ｂに格納されている該当するファクシミリデータを破棄（削除）し（ステップ９１）、処理を終了する。
【００７８】
一方、相手機（宛先）からの応答がない場合（ステップ８６；Ｎ）、およびファクシミリ送信が正常に終了しない場合（ステップ９０；Ｎ）、ファクシミリ装置１００は、現在までに発呼動作処理を実行した回数が、通信管理データ（送信オプションデータ）で予め設定されているリダイヤル回数（最大値）に達しているか否かを判断する（ステップ９２）。
発呼動作処理がリダイヤル回数（最大値）に達していない場合（ステップ９２；Ｎ）、ファクシミリ装置１００は、通信管理データの書き換え処理を実行する（ステップ９３）。
詳しくは、通信管理データの現在までのリヤダイヤル回数に１を加算し、また、指定時刻に所定のインターバルを加算する。
そして、ファクシミリ装置１００は、書き換え処理を実行した通信管理データを暗号化処理部２９４ａで暗号化する。
【００７９】
次に、ファクシミリ装置１００は、無線端末装置３００に通信管理データの差し換え要求コマンドを送信する（ステップ９４）。
無線端末装置３００から、ＡＣＫ（確認応答）信号が返信された後、ファクシミリ装置１００は、暗号化された差し換え通信管理データを無線端末装置３００に転送する（ステップ９５）。
無線端末装置３００は、差し換え通信管理データを対応する通信管理データに差し換え（上書き）た後、処理を終了する。
【００８０】
一方、発呼動作処理がリダイヤル回数（最大値）に達している場合（ステップ９２；Ｙ）、ファクシミリ装置１００は、ファクシミリ送信の際にエラーが発生したと判断し、通信制御部２のＲＡＭ２３に、通信履歴として当該ファクシミリ送信処理で発生したエラー情報を書き込む（ステップ９６）。
そして、ファクシミリ装置１００は、ファクシミリ送信がエラー終了した旨のコマンドを無線端末装置３００に送信する。
無線端末装置３００は、このコマンドを受信した後、大容量メモリ３０６ｂに格納されている該当するファクシミリデータを破棄（削除）し（ステップ９７）、処理を終了する。
【００８１】
本実施の形態によれば、ファクシミリ装置１００で受信したファクシミリデータをファクシミリ装置１００に蓄積せずに、無線端末装置３００に転送して大容量メモリ３０６ｂに蓄積することができるため、外部からのファクシミリデータへのアクセスを防止することが可能な好適なファイアウォールを構成することができる。
また、本実施の形態によれば、無線端末装置３００に備えられている大容量メモリ３０６ｂが取り外された状態にある場合、クライアントＰＣ６００が宛先に指定されていないファクシミリデータの受信を拒否させることができるため、宛先指定がされていないファクシミリデータがファクシミリ装置１００に蓄積されてしまうことがなくなり、第三者にファクシミリデータが漏洩してしまうことを防止することができる。
【００８２】
本実施の形態によれば、無線端末装置３００の大容量メモリ３０６ｂが取り外されている場合に、無線制御部２９ｃ以外の各部への電源供給を遮断させることができるため、適切に消費電力を低減させることができる。また、電力供給を遮断することにより、物理的に大容量メモリ３０６ｂへの外部からのアクセスを不可能にすることができるため、データの漏洩を防止することができる。
さらに、本実施の形態によれば、ファクシミリ送信待ちのファクシミリデータも、ファクシミリ装置１００に蓄積せずに、無線端末装置３００に転送して大容量メモリ３０６ｂに蓄積することができるため、外部からのファクシミリデータへのアクセスを防止することができ、データの漏洩を防止することができる。
また、本実施の形態によれば、処理済みのファクシミリデータやエラー終了した場合のファクシミリデータなどの無効なファクシミリデータを速やかに破棄するようにしているため、ファクシミリデータの漏洩を防止することができる。
【００８３】
【発明の効果】
請求項１記載の発明によれば、ファクシミリデータを本体装置と無線を介して接続された無線端末装置に備えられた記憶装置に暗号化して格納することにより、ファクシミリデータの漏洩を適切に防止することができる。
請求項２記載の発明によれば、ファクシミリデータを無線端末装置に備えられた記憶装置から読み出して本体装置に出力することにより、本体装置にファクシミリデータを蓄積することなくファクシミリデータを管理することができるため、ファクシミリデータの漏洩を適切に防止することができる。
【００８４】
請求項３記載の発明によれば、無線端末装置と記憶装置とが非接続状態である場合、ファクシミリデータの受信を拒否することにより、ファクシミリデータの格納エラーを防止することができる。
請求項４記載の発明によれば、無線端末装置と記憶装置とが非接続状態である場合、通信制御部を除く箇所への電源供給を遮断することにより、適切に消費電力を抑制することができる。
【００８５】
請求項５記載の発明によれば、ファクシミリデータに対応した管理データを作成することにより、ファクシミリデータに関する情報を適切に関連づけすることができる。
請求項６記載の発明によれば、管理データにファクシミリ通信の履歴データを反映させることにより、ファクシミリデータを書き換えずにファクシミリデータに関する情報を更新することができる。
【図面の簡単な説明】
【図１】本実施の形態に係る無線ファクシミリシステムの概略構成を示した図である。
【図２】本実施の形態に係る無線ファクシミリシステムのファクシミリ装置の構成を示した図である。
【図３】無線制御部の概略構成を示した図である。
【図４】本実施の形態に係る無線ファクシミリシステムの無線端末装置の構成を示した図である。
【図５】クライアントＰＣが宛先に指定されていないファクシミリデータの受信処理の手順を示したフローチャートである。
【図６】無線端末装置の大容量メモリに格納されているファクシミリデータをファクシミリ装置に出力する処理の手順について示したフローチャートである。
【図７】本実施の形態に係るファクシミリ装置における省電力エネルギーモードへの移行処理の手順について示したフローチャートである。
【図８】本実施の形態に係るファクシミリ装置における省電力エネルギーモードへの再移行処理の手順について示したフローチャートである。
【図９】本実施の形態に係る無線ファクシミリシステムにおけるファクシミリデータの送信処理の手順について示したフローチャートである。
【図１０】時刻指定送信モードが設定されたファクシミリデータの送信処理の手順について示したフローチャートである。
【符号の説明】
１  コピー制御部
２  通信制御部
３  電源供給部
４  ブリッジ
１１  ＭＰＵ
１２  ＲＯＭ
１３  ＲＡＭ
１４  ｗｏｒｋ＿ＲＡＭ
１５ａ  圧縮伸長制御部
１５ｂ  コピー画像メモリ
１６ａ  操作パネル
１６ｂ  操作パネル制御部
１７ａ  スキャナ
１７ｂ  スキャナ制御部
１８ａ  プロッタ
１８ｂ  プロッタ制御部
１９ａ  各種ＩＯ
１９ｂ  ＩＯ制御部
２１  通信制御コントローラ
２２  ＲＯＭ
２３  ＲＡＭ
２４  ｗｏｒｋ＿ＲＡＭ
２５ａ  ｆａｘ画像処理部
２５ｂ  ｆａｘ画像メモリ
２６ａ  アナログ回線Ｉ／Ｆ
２６ｂ  Ｇ３ｆａｘモデム
２７ａ  デジタル回線ＩＦ
２７ｂ  ＩＳＤＮ制御部
２８  ＬＡＮ制御部
２９ａ  無線アンテナ
２９ｂ  無線制御部Ｉ／Ｆ
２９ｃ  無線制御部
【図１】
2005012440.tif 000003
【図２】
2005012440.tif 000004
【図３】
2005012440.tif 000005
【図４】
2005012440.tif 000006
【図５】
2005012440.tif 000007
【図６】
2005012440.tif 000008
【図７】
2005012440.tif 000009
【図８】
2005012440.tif 000010
【図９】
2005012440.tif 000011
【図１０】
2005012440.tif 000012